(57)【要約】【課題】利用者が所持するＲＦＩＤタグが、アンテナが送信する質問信号を受信したときに送信する応答信号を、タグリーダが受信することで利用者の位置を把握する位置情報検知システムは、アンテナが常に質問電波を送信するのでタグが備える電池の消費電力が大きいという問題があった。【解決手段】本発明に係る位置情報検知システムは、各エリアに設置され、質問信号を送信したとき、利用者が所持するタグから送信された応答信号を受信するタグリーダと、前記タグからの応答信号を受信した前記タグリーダに基づき、利用者が位置しているエリアを認識する位置検知手段と、前記位置検知手段が、利用者が位置することを認識したエリアに設置されたタグリーダに対して質問信号の送信を停止させる送信制御手段と、を備えた。【選択図】          図１
2016162159.tif 000002
【特許請求の範囲】
【請求項１】
各エリアに設置され、質問信号を送信したとき、利用者が所持する応答器から送信された応答信号を受信する質問器と、
前記応答器からの前記応答信号を受信した前記質問器に基づき、前記利用者が位置しているエリアを認識する位置検知手段と、
前記位置検知手段が、前記利用者が位置することを認識したエリアに設置された前記質問器に対して質問信号の送信を停止させる送信制御手段と、を備えた位置情報検知システム。
【請求項２】
前記送信制御手段は、前記利用者が位置することを認識したエリアの隣の全てのエリアに設置された質問器に対して質問信号を送信させることを特徴とする請求項１に記載の位置情報検知システム。
【請求項３】
前記送信制御手段は、前記利用者が位置することを認識したエリアの隣のエリア以外の全てのエリアに設置された質問器に対して質問信号の送信を停止させることを特徴とする請求項２に記載の位置情報検知システム。
【請求項４】
前記送信制御手段は、前記位置検知手段の利用者の認識状況によらず、入口のエリアに設置された質問器に質問信号を送信させることを特徴とする請求項３に記載の位置情報検知システム。
【請求項５】
前記送信制御手段は、前記位置検知手段が、前記利用者が位置することを認識したエリアの隣のいずれかのエリアに他の利用者が位置することを認識した場合、前記利用者が位置することを認識したエリアに設置された質問器に対して質問信号を送信させることを特徴とする請求項４に記載の位置情報検知システム。
【発明の詳細な説明】
【技術分野】
【０００１】
本発明は、タグを所持する利用者が位置する部屋内のエリアを検知する位置情報検知システムに関する。
【背景技術】
【０００２】
利用者の所在位置管理のために、数メートルの通信範囲を有するＲＦＩＤ（Ｒａｄｉｏ  Ｆｒｅｑｕｅｎｃｙ  Ｉｄｅｎｔｉｆｉｅｒ）方式のタグを利用者に所持させ、タグリーダからタグに所定の時間間隔で質問信号を送信し、質問信号に対するタグからの利用者ＩＤを含む応答信号に基づいてタグを所持する利用者の位置を検知するシステムが知られている（例えば特許文献１）。
【先行技術文献】
【特許文献】
【０００３】
【特許文献１】特開２００９−２８８８６１号公報
【発明の概要】
【発明が解決しようとする課題】
【０００４】
しかしながら、特許文献１におけるタグにおいては、タグリーダの質問信号は一定時間毎に送信され、その結果タグも質問信号の受信に応じて応答信号を送信することになるため、タグに搭載された電池の電力の消費が大きいという問題があった。
本発明の目的は、上記課題を解決するため、位置情報検知結果に基づいて、質問器からの質問信号の送信を停止し、応答器に搭載した電池の電力の消費を抑えるような位置情報検知システムを提供することである。
【課題を解決するための手段】
【０００５】
本発明に係る位置情報検知システムは、各エリアに設置され、質問信号を送信したとき、利用者が所持する応答器から送信された応答信号を受信する質問器と、前記応答器からの前記応答信号を受信した前記質問器に基づき、前記利用者が位置しているエリアを認識する位置検知手段と、前記位置検知手段が、前記利用者が位置することを認識したエリアに設置された前記質問器に対して質問信号の送信を停止させる送信制御手段と、を備えたことを特徴とする。
【発明の効果】
【０００６】
本発明に係る位置情報検知システムは、上記の様に構成したので、応答器の電池の電力の消費をより抑えることができるという効果を奏する。
【図面の簡単な説明】
【０００７】
【図１】本発明の実施の形態１における位置情報検知システムの構成図である。
【図２】本発明の実施の形態１における位置情報検知システムの位置検知テーブルである。
【図３】本発明の実施の形態１における位置情報検知システムの要素記憶テーブルである。
【図４】本発明の実施の形態１における位置情報検知システムの動作を示すフローチャートである。
【図５】本発明の実施の形態１における位置情報検知システムの動作概念図である。
【発明を実施するための形態】
【０００８】
実施の形態１
以下、本実施の形態の構成及び動作を図１〜図５を用いて説明する。
【０００９】
図１は、本実施の形態における位置情報検知システムの構成図である。位置情報検知システムは、タグ１、タグリーダ２０、ＩＤコントローラ３０、上位サーバ４０から構成されている。請求項に記載の質問器はタグリーダ２０にあたる。請求項に記載の応答器はタグ１にあたる。
タグ１は利用者６が携帯し、タグ１には利用者ＩＤが予め登録されている。図１では１つのタグ１を図示しているが、複数の利用者がそれぞれタグ１を携帯しており、それぞれのタグ１にはそれぞれユニークな利用者ＩＤが登録されている。
【００１０】
タグリーダ２０は質問信号２をタグ１に送信する。タグリーダ２０は部屋内の各エリアに１台設置されている。各エリアはエリアＩＤで識別され、各タグリーダ２０はエリアＩＤを予め記憶してある。
【００１１】
例えばタグ１が、タグリーダ２０が送信する質問信号２の電波到達範囲のエリアに位置した場合、タグ１は質問信号２を受信する。次にタグ１はタグリーダ２０に対して、利用者ＩＤを含む応答信号３を送信する。なお、タグ１とタグリーダ２０はＲＦＩＤ（Ｒａｄｉｏ  Ｆｒｅｑｕｅｎｃｙ  Ｉｄｅｎｔｉｆｉｅｒ）方式で無線通信を行なう。
【００１２】
タグリーダ２０は一定周期毎（例えば４秒おき）に質問信号２を送信する。隣同志のエリアに設置されたタグリーダ２０からの質問信号２が同時のタイミングに送信された場合に起こりうる電波干渉を防止するために、エリア単位（例えば２エリアｘ２エリアの計４エリア）に設置されたタグリーダ２０は、質問信号２を送信するタイミングを例えば１秒周期で順次輪番でずらすことを行っている。なお、質問信号２を送信する周期は適宜変更可能であり、また質問信号２を送信するタイミングを順次輪番でずらすエリアの単位も適宜変更可能である。
【００１３】
応答信号３を受信したタグリーダ２０は、エリアＩＤを応答信号に含まれる利用者ＩＤとともにＩＤコントローラ３０に送信する。ＩＤコントローラ３０は、タグリーダ２０から受信した利用者ＩＤとエリアＩＤを上位サーバに中継して送信する。
【００１４】
上位サーバ４０は、位置検知手段４１と送信制御手段４２から構成されている。位置検知手段４１は位置検知テーブル４１１を有し、ＩＤコントローラ３０から受信した利用者を検知したエリアと利用者ＩＤとを受信し、利用者がどこのエリアに居るかを把握する。
【００１５】
図２は位置検知テーブル４１１のデータ構成を示している。図２中の縦軸のＡ〜Ｈと横軸の０〜８とで部屋内に区画されたエリアを特定している。例えば縦軸１、横軸Ａに位置するエリアのことを今後は「エリア１Ａ」と呼称することにし、そのエリアのエリアＩＤも「１Ａ」とする。なお、図２ではエリア０Ａとエリア１Ａの間に部屋への出入口があるものとする。
【００１６】
位置検知テーブル４１１はＩＤコントローラ３０から受信したエリアＩＤと利用者ＩＤを、各エリアに対して記憶している。なお、位置検知テーブル４１１は各エリアに対して検知した人数を記憶してもよい。図２の位置検知テーブル４１１はエリア４Ｄに利用者Ａ及び利用者Ｂの２名、エリア６Ｆに利用者Ｃの１名が検知されていることを示している。
【００１７】
送信制御手段４２は、要素演算手段４２１、要素記憶手段４２２、及び送信指令手段４２３から構成され、位置検知手段４１の、利用者を検知したエリアの把握状況に基づき、タグリーダ２０に対し、質問信号２を送信、及び送信の停止を指令する。本実施の形態において、あるエリアに隣り合う全てのエリアに位置する利用者の人数の合計のことをそのエリアの「要素」と呼称する。
【００１８】
要素演算手段４２１は、位置検知テーブル４１１に記憶されている各エリアの利用者の数から、各エリアの要素を演算する。要素記憶テーブル４２２は要素演算手段４２１によって演算された各エリアの要素を記憶する。
【００１９】
図３は要素記憶テーブル４２２のデータ構成を示している。図３中の縦軸のＡ〜Ｈと横軸の０〜８とでエリアを特定している。各エリア内の数字が各エリアに対する「要素」である。図２の位置検知テーブル４１１の例では、エリア４Ｄに利用者Ａ及び利用者Ｂの２名、エリア６Ｆに利用者Ｃの１名が検知されている。エリア４Ｄの隣のエリアのうち、エリア５Ｅはエリア６Ｆとも隣り合っており、エリア４Ｄには利用者２名、エリア６Ｆには利用者１名それぞれ位置するため、エリア５Ｅの要素は２＋１＝３となる。
【００２０】
エリア４Ｄの隣のエリアのうち、エリア５Ｅ以外の隣のエリア（エリア３Ｃ、４Ｃ、５Ｃ、３Ｄ、５Ｄ、３Ｅ、４Ｅ）の要素は２となる。エリア６Ｆの隣のエリアのうち、エリア５Ｅ以外の隣接エリア（エリア６Ｅ、７Ｅ、５Ｆ、７Ｆ、５Ｇ、６Ｇ、７Ｇ）の要素は１となる。他のエリアの要素は０である。なお、部屋の出入口に隣り合うエリア（例えば図３においてはエリア０Ａとエリア１Ａ）の要素は、常に１とし、部屋内の利用者６の出入りは常に検知できるようする。
【００２１】
送信指令手段４２３は、要素記憶テーブル４２２に記憶された各エリアの要素に基づき、タグリーダ２０に対して各エリアに質問信号２の送信の許可及び停止を指令する。送信指令手段４２３は、要素が０のエリアに対しては、タグリーダ２０に対して質問信号２の送信の停止を指令し、要素が１以上のエリアに対しては、タグリーダ２０に対して質問信号２の送信を許可する。
【００２２】
位置検知手段４１はあるエリアに設置されたタグリーダ２０が、利用者６が所持するタグ１が送信した応答信号３を受信した結果、利用者６を検知する。送信指令手段４２３は位置検知手段４１が利用者６を検知した状態で、そのエリアに設置されたタグリーダ２０の質問信号２の停止を指令するとともに、そのエリアの隣の各エリアに設置されたタグリーダ２０の質問信号２の送信を指令する。その結果、利用者６がそのエリアから隣のエリアに移動した場合、その隣のエリアのタグリーダ２０が送信する質問信号２を利用者６が所持するタグ１が再び受信し、タグ１が送信した応答信号３をその隣のエリアのタグリーダ２０が受信するため、位置検知手段４１は利用者６が隣のエリアに移動したことを把握できる。
【００２３】
次に本実施の形態の動作について説明する。図４は、本実施の形態における位置情報検知システムの動作を表すフローチャートである。図４のフローチャートは利用者６が部屋に入室したことを位置検知手段４１が検知した場合、あるいは部屋内に居る利用者６が移動したことを検知した場合に起動され、それ以外の場合は、タグリーダ２０は現在の質問信号２の送信及び停止の状態を維持するものとする。また、部屋への出入口に接しているエリア（例えば図３の場合はエリア１Ａ及びエリア０Ａ）の要素はこのフローチャートの動作によらず１に固定とする。
【００２４】
フローチャート内のエリアＴ´とは利用者が移動前に位置したエリアであり、エリアＴとは利用者が移動後に位置するエリアのことである。エリアＴ´とエリアＴとはお互いに隣のエリアであり、利用者はエリアＴ´からエリアＴへと移動したものとする。以下、図４のフローチャートにて動作の説明をする。
【００２５】
まず、要素計算手段４２１は、要素記憶テーブル４２２に記憶されているエリアＴ´と隣り合う全てのエリアの要素から１を除算し、除算した結果を要素記憶テーブル４２２の対応するエリアの要素に記憶する（Ｓ１０１）。
【００２６】
要素計算手段４２１は、要素記憶テーブル４２２に記憶されているエリアＴと隣り合う全てのエリアの要素から１を加算し、加算した結果を要素記憶テーブル４２２の対応するエリアの要素に記憶する（Ｓ１０２）。
【００２７】
送信指令手段４２３は、要素記憶テーブル４２２を参照し、要素が０のエリアに対し、タグリーダ２０に対し、質問信号２の送信の停止を指令する（Ｓ１０３）。
【００２８】
送信指令手段４２３は、要素記憶テーブル４２２を参照し、要素が１以上のエリアに対し、タグリーダ２０に対し、質問信号２の送信を指令する（Ｓ１０４）。
【００２９】
図５は本実施の形態における位置情報検知システムの動作概念図である。
部屋４０は複数のエリアに区画されており、扉４１から入退室する。各エリアにはタグリーダ２０が設置されている。図５中の縦軸のＡ〜Ｈと横軸の０〜８とでエリアを特定している。
【００３０】
エリア０Ａ、及びエリア１Ａは部屋４０の入口の扉４１に接している。エリア０Ａは部屋４０の外部、エリア１Ａは部屋４０の内部である。
【００３１】
図５内のエリア内にある白丸と黒丸はそれぞれタグ１を所持した利用者６１と利用者６２（他の利用者）が該当エリアに位置していることを示す。各エリアは数字もしくは数式が記載されており、各エリアの要素を示している。数字が記載されている場合は、室内の利用者が移動した場合に移動前の各エリアの要素に対し、要素演算手段４２１による演算処理が発生せず、移動前後の要素に変更は起こらないことを示している。数式が記載されている場合は、室内の利用者が移動した際に、図４のフローに基づき移動前の各エリアの要素から＋１か−１のいずれか、もしくは双方の演算が要素演算手段４２１によってなされており（Ｓ１０１及びＳ１０２の処理）、数式によって演算された結果は移動後の各エリアの要素を示している。
【００３２】
エリア０Ａ、及びエリア１Ａの要素は部屋内の利用者６１及び利用者６２の所在位置に係らず常に１であるものとし、エリア０Ａ、及びエリア１Ａに設置されているタグリーダ２０からは常に質問信号２が送信されている。
【００３３】
図５は（Ｉ）から（ＶＩＩＩ）の８個の部屋の図からなり、利用者６２は常に位置６Ｆに位置し、利用者６１は（Ｉ）エリア０Ａ→（ＩＩ）エリア１Ａ→（ＩＩＩ）エリア２Ｂ→（ＩＶ）エリア３Ｃ→（Ｖ）エリア４Ｄ→（ＶＩ）エリア５Ｅ→（ＶＩＩ）エリア５Ｄ→（ＶＩＩＩ）エリア５Ｃへと部屋４０内のエリアを順次移動していることを示している。
【００３４】
図５の（Ｉ）は、利用者６２がエリア６Ｆに位置し、利用者６１は部屋４０外の扉４１の前のエリア０Ａに位置していることを示している。利用者６１、利用者６２の位置関係によって、要素１以上であるエリア０Ａ、エリア１Ａ、及びエリア６Ｆに隣接するエリア（５Ｅ、５Ｆ、５Ｇ、６Ｅ、６Ｇ、７Ｅ、７Ｆ、７Ｇ）に設置されているタグリーダ２０からの質問信号２は送信制御手段４２によって送信が許可され、それ以外の要素０のエリアに設置されているタグリーダ２０からの質問信号２は送信制御手段４２によって送信の停止が指令される。
【００３５】
図５の（ＩＩ）は、利用者６２がエリア６Ｆに位置し、利用者６１は部屋内の前のエリア１Ａに入室したことを示している。利用者６１が位置するエリア１Ａの各隣接エリア（１Ｂ、２Ａ、２Ｂ）の要素は要素演算手段４２１によって一律１が加算される。その結果、要素１以上となるエリア（０Ａ、１Ａ、１Ｂ、２Ａ、２Ｂ、５Ｅ、５Ｆ、５Ｇ、６Ｅ、６Ｇ、７Ｅ、７Ｆ、７Ｇ）に設置されているタグリーダ２０からの質問信号２は送信制御手段４２によって送信が許可され、それ以外の要素０のエリアに設置されているタグリーダ２０からの質問信号２は送信制御手段４２によって送信の停止が指令される。
【００３６】
図５の（ＩＩＩ）は、利用者６２がエリア６Ｆに位置し、利用者６１はエリア２Ｂに移動したことを示している。利用者６１がエリア２Ｂに移動する前のエリア１Ａの各隣接エリア（１Ｂ、２Ａ、２Ｂ）の各要素は要素演算手段４２１によって一律１が減算される。次にエリア２Ｂの各隣接エリア（１Ｂ、１Ｃ、２Ａ、２Ｃ、３Ａ、３Ｂ、３Ｃ）の各要素は要素演算手段４２１によって一律１が加算される。その結果、要素１以上となるエリア（０Ａ、１Ａ、１Ｂ、１Ｃ，２Ａ、２Ｃ、３Ａ、３Ｂ、３Ｃ、５Ｅ、５Ｆ、５Ｇ、６Ｅ、６Ｇ、７Ｅ、７Ｆ、７Ｇ）に設置されているタグリーダ２０からの質問信号２は送信制御手段４２によって送信が許可され、それ以外の要素０のエリアに設置されているタグリーダ２０からの質問信号２は送信制御手段４２によって送信の停止が指令される。利用者６１が移動したエリア２Ｂの要素は０となり、位置検知手段４１は利用者６１がエリア２Ｂに位置すると検知した状態であり、エリア３Ｃに設置されたタグリーダ２０からの質問信号２は停止する。
【００３７】
図５の（ＩＶ）は、利用者６２がエリア６Ｆに位置し、利用者６１はエリア３Ｃに移動したことを示している。利用者６１がエリア３Ｃに移動する前のエリア２Ｂの各隣接エリア（１Ｂ、１Ｃ、２Ａ、２Ｃ、３Ａ、３Ｂ、３Ｃ）の各要素は要素演算手段４２１によって一律１が減算される。次にエリア３Ｃの各隣接エリア（２Ｂ、２Ｃ、２Ｄ、３Ｂ、３Ｄ、４Ｂ，４Ｃ、４Ｄ）の各要素は要素演算手段４２１によって一律１が加算される。その結果、要素１以上となるエリア（０Ａ、１Ａ、２Ｂ、２Ｃ、２Ｄ、３Ｂ、３Ｄ、４Ｂ，４Ｃ、４Ｄ、５Ｅ、５Ｆ、５Ｇ、６Ｅ、６Ｇ、７Ｅ、７Ｆ、７Ｇ）に設置されているタグリーダ２０からの質問信号２は送信制御手段４２によって送信が許可され、それ以外の要素０のエリアに設置されているタグリーダ２０からの質問信号２は送信制御手段４２によって送信の停止が指令される。利用者６１が移動したエリア３Ｃの要素は０となり、位置検知手段４１は利用者６１がエリア３Ｃに位置すると検知した状態であり、エリア３Ｃに設置されたタグリーダ２０からの質問信号２は停止する。
【００３８】
図５の（Ｖ）は、利用者６２がエリア６Ｆに位置し、利用者６１はエリア４Ｄに移動したことを示している。利用者６１がエリア４Ｄに移動する前のエリア３Ｃの各隣接エリア（２Ｂ、２Ｃ、２Ｄ、３Ｂ、３Ｄ、４Ｂ，４Ｃ、４Ｄ）の各要素は要素演算手段４２１によって一律１が減算される。次にエリア４Ｄの各隣接エリア（３Ｃ、３Ｄ、３Ｅ、４Ｃ、４Ｅ、５Ｃ、５Ｄ、５Ｅ）の各要素は要素演算手段４２１によって一律１が加算される。その結果、要素１以上となるエリア（０Ａ、１Ａ、３Ｃ、３Ｄ、３Ｅ、４Ｃ、４Ｅ、５Ｃ、５Ｄ、５Ｅ、５Ｆ、５Ｇ、６Ｅ、６Ｇ、７Ｅ、７Ｆ、７Ｇ）に設置されているタグリーダ２０からの質問信号２は送信制御手段４２によって送信が許可され、それ以外の要素０のエリアに設置されているタグリーダ２０からの質問信号２は送信制御手段４２によって送信の停止が指令される。特にエリア５Ｅは利用者６２が位置するエリア６Ｆの隣接エリアであり、利用者６１の移動前の要素は１なので、利用者６１の移動後の要素は要素演算手段４２１によって１＋１＝２と計算される。位置検知手段４１は利用者６１がエリア４Ｄに位置すると検知した状態であり、エリア４Ｄに設置されたタグリーダ２０からの質問信号２は停止する。
【００３９】
図５の（ＶＩ）は、利用者６２がエリア６Ｆに位置し、利用者６１はエリア５Ｅに移動したことを示している。利用者６１がエリア５Ｅに移動する前のエリア４Ｄの各隣接エリア（３Ｃ、３Ｄ、３Ｅ、４Ｃ、４Ｅ、５Ｃ、５Ｄ、５Ｅ）の各要素は要素演算手段４２１によって一律１が減算される。次にエリア５Ｅの各隣接エリア（４Ｄ、４Ｅ、４Ｆ、５Ｄ、５Ｆ、６Ｄ、６Ｅ、６Ｆ）の各要素は要素演算手段４２１によって一律１が加算される。その結果、要素１以上となるエリア（０Ａ、１Ａ、４Ｄ、４Ｅ、４Ｆ、５Ｄ、５Ｅ、５Ｆ、５Ｇ、６Ｄ、６Ｅ、６Ｆ、６Ｇ、７Ｅ、７Ｆ、７Ｇ）に設置されているタグリーダ２０からの質問信号２は送信制御手段４２によって送信が許可され、それ以外の要素０のエリアに設置されているタグリーダ２０からの質問信号２は送信制御手段４２によって送信の停止が指令される。位置検知手段４１は利用者６１がエリア５Ｅに位置すると検知した状態であるが、エリア５Ｅは利用者６２が位置するエリア６Ｆの隣接エリアでもあり、エリア５Ｅに設置されたタグリーダ２０からの質問信号２は送信される。また、同様に利用者６２が位置するエリア６Ｆは、利用者６１がエリア５Ｅに移動することで、利用者６１が位置するエリア５Ｅの隣接エリアにあたり、エリア６Ｆに設置されたタグリーダ２０からの質問信号２の送信は送信される。
【００４０】
図５の（ＶＩＩ）は、利用者６２がエリア６Ｆに位置し、利用者６１はエリア５Ｄに移動したことを示している。利用者６１がエリア５Ｄに移動する前のエリア５Ｅの各隣接エリア（４Ｄ、４Ｅ、４Ｆ、５Ｄ、５Ｆ、６Ｄ、６Ｅ、６Ｆ）の各要素は要素演算手段４２１によって一律１が減算される。次にエリア５Ｄの各隣接エリア（４Ｃ、４Ｄ、４Ｅ、５Ｃ、５Ｅ、６Ｃ、６Ｄ、６Ｅ）の各要素は要素演算手段４２１によって一律１が加算される。その結果、要素１以上となるエリア（０Ａ、１Ａ、４Ｃ、４Ｄ、４Ｅ、５Ｃ、５Ｅ、５Ｆ、５Ｇ、６Ｃ、６Ｄ、６Ｅ、６Ｇ、７Ｅ、７Ｆ、７Ｇ）に設置されているタグリーダ２０からの質問信号２は送信制御手段４２によって送信が許可され、それ以外の要素０のエリアに設置されているタグリーダ２０からの質問信号２は送信制御手段４２によって送信の停止が指令される。位置検知手段４１は利用者６１がエリア５Ｄに位置すると検知した状態となり、エリア５Ｄは利用者６２が位置するエリア６Ｆの隣接エリアでないので、エリア５Ｄに設置されたタグリーダ２０からの質問信号２は停止する。また、同様に利用者６２が位置するエリア６Ｆは、利用者６１がエリア５Ｄに移動することで、利用者６１が位置するエリア５Ｄの隣接エリアにはあたらないため、エリア６Ｆに設置されたタグリーダ２０からの質問信号２の送信は停止する。
【００４１】
図５の（ＶＩＩＩ）は、利用者６２がエリア６Ｆに位置し、利用者６１はエリア５Ｃに移動したことを示している。利用者６１がエリア５Ｃに移動する前のエリア５Ｄの各隣接エリア（４Ｃ、４Ｄ、４Ｅ、５Ｃ、５Ｄ、６Ｃ、６Ｄ、６Ｅ）の各要素は要素演算手段４２１によって一律１が減算される。次にエリア５Ｃの各隣接エリア（４Ｂ、４Ｃ、４Ｄ、５Ｂ、５Ｄ、６Ｂ、６Ｃ、６Ｄ）の各要素は要素演算手段４２１によって一律１が加算される。その結果、要素１以上となるエリア（０Ａ、１Ａ、４Ｂ、４Ｃ、４Ｄ、５Ｂ、５Ｄ、５Ｅ、５Ｆ、５Ｇ、６Ｂ、６Ｃ、６Ｄ、６Ｅ、６Ｇ、７Ｅ、７Ｆ、７Ｇ）に設置されているタグリーダ２０からの質問信号２は送信制御手段４２によって送信が許可され、それ以外の要素０のエリアに設置されているタグリーダ２０からの質問信号２は送信制御手段４２によって送信の停止が指令される。位置検知手段４１は利用者６１がエリア５Ｃに位置すると検知した状態となり、エリア５Ｃに設置されたタグリーダ２０からの質問信号２は停止する。
【００４２】
上述したとおり、本実施の形態では、タグ１を所持した利用者６が部屋４内のあるエリアに位置すると位置検知手段４１が把握した場合、該当エリアの隣接エリアに別の利用者が居ない限り、送信指令手段４３は該当エリアに設置されたタグリーダ２０に対し、質問信号２の送信の停止を指令するため、利用者６が該当エリアに位置すると把握している状態で、利用者が所持するタグ１が質問信号２を受信することが阻止され、その結果タグ１は応答信号３を送信することを防止でき、タグ１に搭載した電池に蓄積された電力を節約できるという効果を奏する。また、利用者６がエリアを移動する場合は、利用者６が現在位置するエリアに隣接するエリアに設置されたタグリーダ２０にさえ質問信号２が送信されていれば、位置検知手段４１は利用者６が移動したことは把握できるため、利用者６が該当エリアの隣接エリアに移動したと把握するとともに、位置情報把握システム全体の消費電力を節約する効果も奏する。
【００４３】
なお、本実施の形態では情報機器としてタグを用いているが、タグに限定するものではなく、例えば携帯電話やスマートフォン等、タグリーダが送信した質問信号を受信し、利用者ＩＤを含む応答信号を受信装置に送信する機能を備えた装置及び機器であれば良い。
【００４４】
また、図５において、部屋４０の扉４１に接しているエリア０Ａとエリア１Ａの要素は利用者６の位置に係らず、つねに１と記載したが、要素記憶テーブルはエリア０Ａとエリア１Ａの要素を必ずしも備える必要はなく、エリア０Ａとエリア１Ａのタグリーダ２０は常に質問信号２を送信するようにしてもよい。
【００４５】
また、図５において、部屋４０の扉４１はエリア０Ａとエリア１Ａに接していると記載されているが、扉４１はエリア０Ａとエリア１Ａの間でなくてもよく、部屋４０に入退室できればどの位置でもよい。また、複数の扉４１が設置されていても構わない。
【００４６】
また、図５において、部屋内のエリアは格子状で区画されているが、必ずしも格子状に区画されている必要は無い。
さらに、要素演算手段４２１は単に位置検知手段４１が把握した利用者６が位置するエリアに隣接したエリアに他の利用者が居ない場合、利用者６が位置するエリアの要素を０と設定し、その他の利用者が居ないエリアの要素を１としても構わない。この場合も少なくとも、利用者６が該当エリアに位置すると把握している状態で、利用者が所持するタグ１が質問信号２を受信することが阻止され、その結果タグ１は応答信号３を送信することを防止でき、タグ１に搭載した電池に蓄積された電力を節約できるという効果を奏する。
【００４７】
その他、構成の一部を変形しても、また一部を省略してもよく、本実施の形態と同様の効果を奏するものと考えられる。
【産業上の利用可能性】
【００４８】
本発明は、ＲＦＩＤタグを用いて利用者の位置を把握できる位置情報検知システムに適用することができる。
【符号の説明】
【００４９】
１  タグ、  ２  質問信号、  ３  応答信号、  ４０  部屋、４１  部屋の入口の扉
６  タグを所持した利用者、  ６１  タグを所持した利用者、
６２  タグを所持した利用者、  ２０  タグリーダ、
３０  ＩＤコントローラ、４０  上位システム、  ４１  位置検知手段、
４１１  位置検知テーブル、  ４２  送信制御手段、  ４２１  要素演算手段、
４２２  要素記憶テーブル、  ４２３  送信指令手段
【図１】
2016162159.tif 000003
【図２】
2016162159.tif 000004
【図３】
2016162159.tif 000005
【図４】
2016162159.tif 000006
【図５】
2016162159.tif 000007